(57)【要約】【課題】ディスクのレーベル面に記録される画像等のバックアップデータをデータ面に記録する装置および方法を実現する。【解決手段】ディスクのデータ面に対するデータ記録を実行するデータ記録部と、ディスクのレーベル面に視認可能なデータを記録するレーベル面記録部と、レーベル面記録部によってレーベル面に記録されたデータのバックアップデータをデータ面に記録させる制御を実行する制御部を有する。制御部はディスクのレーベル面に視認可能な画像などのデータを記録し、その記録データの元データをバックアップデータとしてディスクのデータ面に記録させる制御を行う。さらに制御部はデータ面の空き容量に応じてメインデータまたはバックアップデータの削減処理を実行する。【選択図】図２
2011090723.tif 000002
【特許請求の範囲】
【請求項１】
ディスクのデータ面に対するデータ記録を実行するデータ記録部と、
ディスクのレーベル面に視認可能なデータを記録するレーベル面記録部と、
前記レーベル面記録部によってレーベル面に記録されたデータのバックアップデータをデータ面に記録する制御を実行する制御部と、
を有する情報処理装置。
【請求項２】
前記制御部は、
前記データ面に記録するメインデータと、前記レーベル面に記録されたデータのバックアップデータであるサブデータとの合計データ容量と、前記データ面の空き容量とを比較し、
前記空き容量が前記合計データ容量未満である場合、
前記合計データ容量を削減する処理を行う請求項１に記載の情報処理装置。
【請求項３】
前記制御部は、
前記合計データ容量の削減処理として、前記メインデータの圧縮処理を実行する請求項２に記載の情報処理装置。
【請求項４】
前記制御部は、
前記メインデータの圧縮処理によるデータ削減情報を出力部に表示する処理を行う請求項３に記載の情報処理装置。
【請求項５】
前記制御部は、
前記合計データ容量の削減処理として、前記サブデータの圧縮処理を実行する請求項２に記載の情報処理装置。
【請求項６】
前記制御部は、
前記合計データ容量の削減処理として、前記サブデータの白黒画像変換処理を実行する請求項２に記載の情報処理装置。
【請求項７】
前記制御部は、
前記データ面に記録するメインデータと、前記レーベル面に記録されたデータのバックアップデータであるサブデータとの合計データ容量と、前記データ面の空き容量とを比較し、
前記空き容量が前記合計データ容量未満である場合、
前記メインデータとサブデータの分割処理を実行して、複数ディスクに分割して記録するための分割データを生成する請求項１に記載の情報処理装置。
【請求項８】
情報処理装置において実行する情報処理方法であり、
前記情報処理装置は、
ディスクのデータ面に対するデータ記録を実行するデータ記録部と、
ディスクのレーベル面に視認可能なデータを記録するレーベル面記録部と、
前記データ記録部および前記レーベル面記録部の記録処理制御を実行する制御部を有し、
前記制御部は、
前記レーベル面記録部によってレーベル面に記録されたデータのバックアップデータをデータ面に記録する制御を実行する情報処理方法。
【請求項９】
情報処理装置においてデータ記録制御を実行させるプログラムであり、
前記情報処理装置は、
ディスクのデータ面に対するデータ記録を実行するデータ記録部と、
ディスクのレーベル面に視認可能なデータを記録するレーベル面記録部と、
前記データ記録部および前記レーベル面記録部の記録処理制御を実行する制御部を有し、
前記プログラムは、前記制御部に、前記レーベル面記録部によってレーベル面に記録されたデータのバックアップデータをデータ面に記録する処理を実行させるプログラム。
【発明の詳細な説明】
【技術分野】
【０００１】
本発明は、情報処理装置、および情報処理方法、並びにプログラムに関する。さらに詳細には、光ディスクのレーベル（Ｌａｂｅｌ）面に例えば画像や文字等の視認可能な情報の書き込みを行う情報処理装置、および情報処理方法、並びにプログラムに関する。
【背景技術】
【０００２】
昨今、ＣＤ、ＤＶＤなどの光ディスクが音声、画像データなどの情報記録媒体として多く利用されている。光ディスクには様々な形式のディスクがあるが、データを記録するデータ面と、データを記録しないレーベル面を表裏に持つディスクが多く利用されている。データ面にはメインとなるデシタルデータが記録される。一方、データ面の裏側にあるレーベル面にレーザ光を照射して文字やモノクロ写真のような画像データを記録する技術がある。具体的には、例えば「ＬｉｇｈｔＳｃｒｉｂｅ」、「ＬｅｂｅｌＦｌａｓｈ」が知られている。なお、レーベル面に対するデータ記録処理について開示した従来技術としては、例えば特許文献１（特開２００５−２３５３５９号公報）などがある。
【０００３】
例えばＣＤやＤＶＤに記録したコンテンツを示す代表的な文字や画像などをレーベル面に記録することで、ユーザはディスクの中身を容易に把握することができる。具体的には運動会や結婚式のＤＶＤを作成して、そのレーベル面に運動会や結婚式を示す文字や画像を記録するといった処理である。レーベル面に画像を描画したＣＤやＤＶＤは、自ら保持して保管するばかりではなく、例えば結婚式の出席者や知人に配布するといったことにも利用可能である。
【０００４】
ＤＶＤやＣＤのデータ面の記録データについては繰り返し再生可能であり、また他のメディアにコピーするといった処理も可能である。しかし、レーベル面に記録された画像などのデータは、その作成者が例えばＰＣなどに元データを保存していれば、その作成者は再度利用できるが、例えばＤＶＤを譲り受けたユーザは、その画像の再生やプリントはできない。また、他の光ディスクに同じレーベル画像を作成するといった処理もできない。また、作成者であっても、元データを保存、管理しているとは限らず、保存されていない場合はその画像の再生やプリント処理、あるいは他の光ディスクへの同じレーベル画像の作成ができなくなる。ＤＶＤのレーベル面をスキャナで読み取れば、そのスキャンデータを利用した再生処理やプリント、あるいはレーベル面記録データとして再利用することも可能となるが、画質が著しく劣化してしまうという問題がある。
【先行技術文献】
【特許文献】
【０００５】
【特許文献１】特開２００５−２３５３５９号公報
【発明の開示】
【発明が解決しようとする課題】
【０００６】
本発明は、例えばこのような状況に鑑みてなされたものであり、レーベル面に描画した画像等のデータを、ディスクを有しているユーザであればいつでも利用可能な構成を実現する情報処理装置、および情報処理方法、並びにプログラムを提供することを目的とする。
【課題を解決するための手段】
【０００７】
本発明の第１の側面は、
ディスクのデータ面に対するデータ記録を実行するデータ記録部と、
ディスクのレーベル面に視認可能なデータを記録するレーベル面記録部と、
前記レーベル面記録部によってレーベル面に記録されたデータのバックアップデータをデータ面に記録する制御を実行する制御部と、
を有する情報処理装置にある。
【０００８】
さらに、本発明の情報処理装置の一実施態様において、前記制御部は、前記データ面に記録するメインデータと、前記レーベル面に記録されたデータのバックアップデータであるサブデータとの合計データ容量と、前記データ面の空き容量とを比較し、前記空き容量が前記合計データ容量未満である場合、前記合計データ容量を削減する処理を行う。
【０００９】
さらに、本発明の情報処理装置の一実施態様において、前記制御部は、前記合計データ容量の削減処理として、前記メインデータの圧縮処理を実行する。
【００１０】
さらに、本発明の情報処理装置の一実施態様において、前記制御部は、前記メインデータの圧縮処理によるデータ削減情報を出力部に表示する処理を行う。
【００１１】
さらに、本発明の情報処理装置の一実施態様において、前記制御部は、前記合計データ容量の削減処理として、前記サブデータの圧縮処理を実行する。
【００１２】
さらに、本発明の情報処理装置の一実施態様において、前記制御部は、前記合計データ容量の削減処理として、前記サブデータの白黒画像変換処理を実行する。
【００１３】
さらに、本発明の情報処理装置の一実施態様において、前記制御部は、前記データ面に記録するメインデータと、前記レーベル面に記録されたデータのバックアップデータであるサブデータとの合計データ容量と、前記データ面の空き容量とを比較し、前記空き容量が前記合計データ容量未満である場合、前記メインデータとサブデータの分割処理を実行して、複数ディスクに分割して記録するための分割データを生成する。
【００１４】
さらに、本発明の第２の側面は、
情報処理装置において実行する情報処理方法であり、
前記情報処理装置は、
ディスクのデータ面に対するデータ記録を実行するデータ記録部と、
ディスクのレーベル面に視認可能なデータを記録するレーベル面記録部と、
前記データ記録部および前記レーベル面記録部の記録処理制御を実行する制御部を有し、
前記制御部は、
前記レーベル面記録部によってレーベル面に記録されたデータのバックアップデータをデータ面に記録する制御を実行する情報処理方法にある。
【００１５】
さらに、本発明の第３の側面は、
情報処理装置においてデータ記録制御を実行させるプログラムであり、
前記情報処理装置は、
ディスクのデータ面に対するデータ記録を実行するデータ記録部と、
ディスクのレーベル面に視認可能なデータを記録するレーベル面記録部と、
前記データ記録部および前記レーベル面記録部の記録処理制御を実行する制御部を有し、
前記プログラムは、前記制御部に、前記レーベル面記録部によってレーベル面に記録されたデータのバックアップデータをデータ面に記録する処理を実行させるプログラムにある。
【００１６】
なお、本発明のプログラムは、例えば、様々なプログラム・コードを実行可能な汎用コンピュータ・システムに対して、コンピュータ可読な形式で提供する記憶媒体、通信媒体によって提供可能なコンピュータ・プログラムである。このようなプログラムをコンピュータ可読な形式で提供することにより、コンピュータ・システム上でプログラムに応じた処理が実現される。
【００１７】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１８】
本発明の一実施例の構成によれば、ディスクのレーベル面に記録される画像等のバックアップデータをデータ面に記録する装置および方法を実現する。本発明の情報処理装置は、ディスクのデータ面に対するデータ記録を実行するデータ記録部と、ディスクのレーベル面に視認可能なデータを記録するレーベル面記録部と、レーベル面記録部によってレーベル面に記録されたデータのバックアップデータをデータ面に記録させる制御を実行する制御部を有する。制御部はディスクのレーベル面に視認可能な画像などのデータを記録し、その記録データの元データをバックアップデータとしてディスクのデータ面に記録させる制御を行う。さらに制御部はデータ面の空き容量に応じてメインデータまたはバックアップデータの削減処理を実行する。
【図面の簡単な説明】
【００１９】
【図１】本発明の一実施例に係る情報処理装置の構成例について説明する図である。
【図２】本発明の一実施例に係る情報処理装置が記録処理を行うディスクの構成例について説明する図である。
【図３】本発明の一実施例に係る情報処理装置の実行するレーベル面に対するデータ記録処理例について説明する図である。
【図４】本発明の一実施例に係る情報処理装置の実行するデータ面に対するデータ記録処理例について説明する図である。
【図５】本発明の一実施例に係る情報処理装置の実行するディスクのレーベル面およびデータ面に対するデータ記録処理のシーケンスについて説明するフローチャートを示す図である。
【図６】本発明の一実施例に係る情報処理装置の実行するディスクのレーベル面およびデータ面に対するデータ記録処理のシーケンスについて説明するフローチャートを示す図である。
【図７】本発明の一実施例に係る情報処理装置の実行するディスクのレーベル面およびデータ面に対するデータ記録処理のシーケンスについて説明するフローチャートを示す図である。
【図８】本発明の一実施例に係る情報処理装置の実行するディスクのレーベル面およびデータ面に対するデータ記録処理のシーケンスについて説明するフローチャートを示す図である。
【図９】本発明の一実施例に係る情報処理装置の出力部（表示部）に表示する画面の例について説明する図である。
【図１０】本発明の一実施例に係る情報処理装置の出力部（表示部）に表示する画面の例について説明する図である。
【図１１】本発明の一実施例に係る情報処理装置の出力部（表示部）に表示する画面の例について説明する図である。
【図１２】本発明の一実施例に係る情報処理装置の実行するデータ削除処理のシーケンスについて説明するフローチャートを示す図である。
【図１３】本発明の一実施例に係る情報処理装置の出力部（表示部）に表示する画面の例について説明する図である。
【発明を実施するための形態】
【００２０】
以下、図面を参照しながら本発明の情報処理装置、および情報処理方法、並びにプログラムの詳細について説明する。なお、説明は以下の項目に従って行なう。
１．本発明の情報処理装置の構成および処理例について
２．本発明の情報処理装置の実行する処理の具体的シーケンスについて
【００２１】
［１．本発明の情報処理装置の構成および処理例について］
まず、図１以下を参照して本発明の情報処理装置の構成および処理例について説明する。
図１は、本発明の情報処理装置の一構成例を示す図である。本発明の情報処理装置は、ＣＤ、ＤＶＤ、ＢＤなどの光ディスクを装着しデータ記録を実行する。光ディスクは、通常のデータ記録可能なデータ面と、レーベル面を有する。本発明の情報処理装置は、データ面には通常のデータを記録し、レーベル面には目で見て分かる視認可能な画像や文字などを描画して記録する。
【００２２】
図１に示すように本発明の一実施例に係る情報処理装置１００は、ホスト装置１１０とドライブ装置１２０によって構成される。各装置間においてディスク２００に対する記録データ、ディスク２００からの再生データが転送される。
【００２３】
ホスト装置１１０は、制御部１１１、記憶部１１２、入力部１１３、出力部（表示部等）１１４を有する。制御部１１１はＣＰＵを有し、記憶部１１２に格納されたプログラムに従ってデータの記録再生処理、およびこれらの処理に伴う各種のデータ処理の制御を実行する。記憶部１１２は、例えばハードディスクの他、ＲＡＭ、ＲＯＭ等によって構成される記憶部である。ディスク２００に対する記録データや、データ処理プログラムが記録される。
【００２４】
入力部１１３はユーザの操作可能な操作部等であり、データ記録処理や再生処理の指示情報などを入力する。
出力部１１４は、例えばディスプレイ、スピーカーなどによって構成され、ディスク２００の再生情報の出力、あるいは操作情報、ガイド情報、処理状況などを表示するユーザインタフェースとしても利用される。
【００２５】
ドライブ装置１２０はディスク２００を装着してディスク２００に対するデータ記録、およびデータ再生処理を実行する。ディスク２００に対する記録データはホスト装置１１０から入力する。またディスク２００からの再生データはホスト装置１１０に出力する。
【００２６】
ドライブ装置１２１は、ＣＰＵ等から構成されるドライブ制御部１２１、ＲＡＭ、ＲＯＭ、あるいはフラッシュメモリなどによって構成されるメモリ１２２、例えばレーザ光を出力するピックアップなどによって構成され、ディスク２００のデータ面にデジタルデータを記録し再生を行うデータ記録再生部１２３、さらに、例えばレーザ光を出力しレーベル面に対する視認可能な画像等を記録するレーベル面記録部１２４を有する。
【００２７】
なお、図には、データ記録再生部１２３とレーベル面記録部１２４とを個別の構成として示しているが、これらは、個別の構成としてもよいし、一体となった構成でもよい。例えば単一のレーザ光出力ピックアップをデータ記録再生、およびレーベル面に対する画像描画の両者に利用する構成としてもよい。
【００２８】
ドライブ制御部１２１は、例えばメモリ１２２に記録されたプログラムに従って、ディスク２００を利用したデータ記録再生処理の制御を行う、メモリ１２２はドライブ制御部１２１の実行プログラムの格納領域として利用される。また、ディスク２００に対する記録データ、あるいはディスク２００からの再生データのバッファ領域などに利用される。データ記録再生部１２３は、ディスク２００に対するデータ記録再生処理を行う。レーベル面記録部１２４は、ディスク２００のレーベル面に対する記録処理を行う。
【００２９】
ディスク２００は、前述したように、データを記録可能なトラックを有するデータ面と、レーベル面を有する。
図２を参照してディスク２００の詳細構成について説明する。ディスク２００は、ＣＤ，ＤＶＤ、ＢＤなどの光ディスクであり、図２に示すように、レーベル面２０１、データ面２０２を有する。データ面２０２は通常のデータ記録面であり、トラック上に画像や音声データが記録される。一方、レーベル面はトラックが形成されていない面である。
【００３０】
本発明の情報処理装置１００は、このレーベル面２０１に対して画像など視認可能な情報を描画して記録する。図２（ａ）にレーベル面２０１に画像を記録した状態のディスクの例を示す。例えば、図１に示すレーベル面記録部１２４からレーベル面２０１にレーザ光を照射して、レーベル面２０１のレーザ光照射部に化学変化を発生させる。このような処理により視認可能な様々な画像や文字を描画して記録する。なお、図２（ｂ）に示すデータ面にはトラックが形成されており、データ記録再生部１２３を利用してトラックに沿って画像や音声データに基づくデジタル信号が記録され、再生処理が行われる。
【００３１】
ディスク２００のレーベル面２０１に画像などを記録する場合、図３に示すように、ホスト装置１１０からドライブ装置１２０に対してレーベル面記録データ３０１が転送される。このレーベル面記録データ３０１は、例えばホスト装置１１０の記憶部１１２を構成するハードディスクなどに格納された画像データである。
【００３２】
ドライブ装置１２０のドライブ制御部１２１は、ホスト装置１１０から受信したレーベル面記録データ３０１に従って、レーベル面記録部１２４を動作させて、レーベル面２０１にレーベル面記録データ３０１に応じた画像などを記録する。
【００３３】
一方、ディスク２００のデータ面２０２にデータ記録を行う場合、本発明の情報処理装置１００のホスト１１０は、図４に示すようにデータ面記録用のメインデータ３２１に加えて、サブデータ（＝レーベル面記録データ）３２２も記録データとしてドライブ装置１２０に出力する。サブデータはレーベル面記録データの元データであり、レーベル面記録データのバックアップデータとしてディスク２００のデータ面２０２に記録するデータである。
【００３４】
ドライブ装置１２０は、ホスト装置１１０から受信したメインデータ３２１とサブデータ（＝レーベル面記録データ）の双方を、データ記録再生部１２３を介してディスク２００のデータ面２０２に記録する処理を行う。
【００３５】
この処理によって、ディスク２００のレーベル面２０１に記録されたデータの元データは、ディスク２００のデータ面２０２にもデジタルデータとして記録される。すなわちデータ面２０２には、レーベル面２０１に記録されたデータのバックアップデータの記録が行われることになる。
【００３６】
従って、例えばこのディスク２００を持つユーザは、レーベル面２０１に記録された画像のバックアップデータであるサブデータをデータ面２０２から読み取って再生する処理やプリント処理を行うことが可能となる。また、このデータを利用して他のディスクのレーベル面に同じ画像を記録することも可能となる。すなわち、レーベル面記録画像の元データがハードディスク等から削除された場合でも、ディスク２００のデータ面２０２から取得することが可能となる。
【００３７】
［２．本発明の情報処理装置の実行する処理の具体的シーケンスについて］
次に、本発明の情報処理装置の実行する処理の具体的シーケンスについて図５以下のフローチャートを参照して説明する。
【００３８】
図５〜図８に示すフローチャートは、本発明の情報処理装置がディスクのレーベル面やデータ面にデータ記録を行う場合の処理シーケンスを示すフローチャートである。この処理は、図１に示すホスト装置１１０の制御部１１１の制御の下に予め記憶部１１２に格納されたアプリケーションプログラムに従って実行される。図５のステップＳ１０１から順に処理の詳細について説明する。
【００３９】
ステップＳ１０１において、アプリケーションプログラムを起動する。このプログラムはレーベル面に対する描画処理とデータ面に対するデータ記録を実行するプログラムである。
【００４０】
ステップＳ１０２において、レーベル描画を実行するか否かを判定する。レーベル描画とは、レーベル面に対する画像などの記録処理である。例えば図２（ａ）に示すような画像をレーベル面に記録する処理である。
なお、この処理の実行に際しては、例えば図９に示すように、出力部（表示部）１１４にユーザの希望する処理を問い合わせる画面を提示して、入力部１１３を介してユーザ指示を入力する。この入力に応じてステップＳ１０２の判定処理が行われる。
【００４１】
ステップＳ１０２の判定がＮｏの場合は、ステップＳ１２０（図６）のデータ面に対するデータ記録の判定処理に進む。
ステップＳ１０２の判定がＹｅｓの場合は、ステップＳ１０３に進む。
ステップＳ１０３では、レーベル描画を実行可能なドライブ装置を備えているかを判定する。Ｎｏの場合は、ステップＳ１０４に進み、ドライブ装置の切り替えなどを実行する。実行されない場合は、処理が続行できないので処理は終了する。
【００４２】
ステップＳ１０３において、レーベル描画を実行可能なドライブ装置を備えていると判定すると、ステップＳ１０５に進む。
ステップＳ１０５では、レーベル描画画像の選択処理を実行する。
例えば図１０に示すような画面を出力部（表示部）１１４に表示し、ユーザによる画像選択を実行させる。
画像選択手法としては、図１０に示すように、
ランダムに選択する方法、
ユーザが選択する方法、
これらの２種類の方法がある。ランダムに選択する場合は、選択範囲として指定された複数の画像ファイルから装置自身が予め設定された選択アルゴリズムを実行して所定の画像を選択する処理を実行する。
ユーザが選択する場合は、画像を表示して選択を実行させることになる。
【００４３】
次に、ステップＳ１０６においてレーベル描画処理の対象となる画像の選択が完了したか否かを判定する。画像の選択が完了しない場合（Ｎｏ）は、ステップＳ１０５に戻り画像選択を継続する。なお、複数枚の画像を描画することも可能であるので、ユーザはレーベル描画画像として複数枚の画像を選択することができる。
【００４４】
ステップＳ１０６においてレーベル描画処理の対象となる画像の選択が完了したと判定されると、ステップＳ１０７に進む。
ステップＳ１０７では、選択されたレーベル面描画画像のバックアップデータ、すなわちデータ面に記録するサブデータの情報を出力部（表示部）１１４に表示する。例えばサブデータの画像情報や容量情報などである。ユーザはこの情報表示処理により、サブデータ（＝レーベル面描画データ）の容量などの情報を知ることができ、データ面に対する記録データであるメインデータの記録の妨げにならないかをある程度判定することが可能となる。
【００４５】
なお、メインデータはデータ面に記録する主データであり、サブデータはレーベル面に描画するデータの元データ、すなわちバックアップデータである。本発明の情報処理装置は、先に図３、図４を参照して説明したように、メインデータとサブデータ（＝レーベル面記録データ）を併せてデータ面に記録する。
【００４６】
次に、ステップＳ１０８ではユーザによるサブデータ確認のＯＫが入力されたか否かを判定する。例えばレーベル面記録データの画像を変更したいと判断したユーザは、画像の変更処理を行うため、再度ステップＳ１０５に戻りレーベル面描画画像の再選択を行う。
【００４７】
ステップＳ１０８において、ユーザによるサブデータ確認のＯＫが入力された場合は、ステップＳ１０９に進む。
ステップＳ１０９ではサブデータ（＝レーベル面記録データ）を一時保存する。例えばＲＯＭ等の一時的に記録して保存する。
ステップＳ１１０では、出力部１１４にサブデータの容量等、サブデータ情報の表示を継続して実行する。
【００４８】
次に、図６のステップＳ１１１に進む。
ステップＳ１１１では、レーベル面に対する描画処理を実行するか否かのユーザの最終判断の入力を待機する。レーベル描画を中止する場合は、ステップＳ１２０に進み、データ面の記録処理に移行する。
レーベル面の描画を実行する場合は、ステップＳ１１２に進む。
ステップＳ１１２では、レーベル記録可能な位置にディスクをセットするようにユーザに促す。
ステップＳ１１３で、ユーザがディスクをセットする。
ステップＳ１１４において、ディスクが正しくセットされたか否かを判定し、セットされていない場合はステップＳ１１２以下の処理を繰り返す。
【００４９】
ステップＳ１１４において、ディスクが正しくセットされたと判定するとステップＳ１１５に進む。
ステップＳ１１５ではレーベル面に対する描画処理を実行する。図３を参照して説明したように、ホスト装置１１０からドライブ装置１２０にレーベル面記録データが転送され、ディスク２００のレーベル面２０１に対するレーベル面記録データの描画処理が行われる。
【００５０】
ステップＳ１１６ではレーベル面描画処理が正常に完了したか否かを判定する。完了していない場合はステップＳ１１７に進み、レーベル描画の再実行を行うか否かをユーザに判定させる。レーベル描画を再実行する指示が入力された場合は、ステップＳ１１２以下の処理を繰り返す。レーベル描画を再実行しない場合は、ステップＳ１１８に進みディスクの作成を中止するか否かの判定をユーザに入力させる。中止する場合は処理終了する。中止しない場合はデータ面に対する記録処理に移行するためにステップＳ１２０に進む。
【００５１】
ステップＳ１１６において、レーベル面に対する描画処理が正常完了したと判定した場合は、ステップＳ１１９に進む。
ステップＳ１１９では、必要なディスク枚数の記録が完了したか否かを判定する。完了していない場合は、ステップＳ１１２に戻り、ディスクを入れ替えて同様の処理を繰り返す。
ステップＳ１１９において、必要なディスク枚数の記録が完了したと判定した場合は、ステップＳ１２０に進む。
【００５２】
ステップＳ１２０では、メインデータの記録を実行するか否かを判定する。例えばユーザ入力に基づいて判定する。メインデータの記録を開始しない場合は、ステップＳ１２１に進む。ステップＳ１２１では、他のレーベル面描画データの記録を実行するか否かを判定する。例えばユーザ入力によって判定する。他のレーベル面描画データの記録を実行する場合は、ステップＳ１０５に戻り、ステップＳ１０５以下の処理を繰り返す。他のレーベル面描画データの記録を実行しない場合は処理を終了する。
【００５３】
ステップＳ１２０において、メインデータの記録を実行すると判定すると、ステップＳ１２２に進む。
ステップＳ１２２では、メインデータにサブデータを追加してデータ面に対する記録データを生成する。サブデータとは、前述したようにレーベル面に描画したデータの元データである。
次に、図７のステップＳ１２３に進む。
【００５４】
ステップＳ１２３ではディスクを排出する。
次にステップＳ１２４において、データ面に対するデータ記録可能な位置にディスクをセットするようにユーザに促す。
ステップＳ１２５で、ユーザがディスクをセットする。
ステップＳ１２６において、ディスクが正しくセットされたか否かを判定し、セットされていない場合はステップＳ１２４以下の処理を繰り返す。
【００５５】
ステップＳ１２６において、ディスクが正しくセットされたと判定するとステップＳ１２７に進む。
ステップＳ１２７では、レーベル面に描画したデータとサブデータが一致するデータであるか否かを判定する。一致していない場合は、ステップＳ１２８に進み、サブデータの再選択を行い、レーベル描画データに対応するサブデータを再選択する。この処理はユーザによる入力処理として実行してもよいし、装置自身が、レーベル描画データのファイル名等の識別情報をメモリに保持し、その情報を用いてサブデータを記憶部から取得する処理として実行してもよい。なお選択されたデータは出力部（表示部）１１４に表示してユーザが確認可能な状態とする。
【００５６】
ステップＳ１２７において、レーベル面に描画したデータとサブデータが一致するデータであると判定するとステップＳ１２９に進む。
ステップＳ１２９では、ディスクのデータ面の空き容量と、記録予定データ（メインデータ＋サブデータ）の容量を比較する。
【００５７】
ステップＳ１３０において、
データ面空き容量≧記録予定データ容量
上記判定式がＮｏと判定された場合は、ステップＳ１４１に進む。ステップＳ１４１以下の処理はデータ面に対する記録データの削減処理などの処理であり、後段で説明する。
【００５８】
一方、ステップＳ１３０において、
データ面空き容量≧記録予定データ容量
上記判定式がＹｅｓと判定された場合は、ステップＳ１３１に進む。
ステップＳ１３１では、データ面に対する記録予定データ、すなわちメインデータとサブデータ（＝レーベル面描画データの元データ）をデータ面に記録する処理を実行する。
【００５９】
ステップＳ１３２ではデータ面に対するデータ記録処理が正常に完了したか否かを判定する。完了していない場合はステップＳ１３４（図８）に進む。完了した場合はステップＳ１３３に進む。
ステップＳ１３３では、必要枚数のデータ記録が完了したかを判定し完了していない場合はディスクを入れ替えさせて処理を行うためにステップＳ１２３に戻る。
【００６０】
ステップＳ１３２においてデータ記録が正常に完了していないと判定した場合、およびステップＳ１３３において必要枚数の記録が完了したと判定した場合はステップＳ１３４（図８）に進む。
【００６１】
図８に示すステップＳ１３４では、処理を終了（中止）するか否かを判定する。例えばユーザ入力によって判定する。処理を終了（中止）する場合は、終了となる。処理を終了（中止）しない場合は、ステップＳ１３５に進み、データ面記録処理を続行するか否かを判定する。例えばユーザ入力によって判定する。続行する場合は、ステップＳ１２４（図７）以下の処理を繰り返す。続行しない場合は、ステップＳ１０３（図５）に戻り、レーベル描画から処理を再開する。
【００６２】
図７に示すステップＳ１３０において、
データ面空き容量≧記録予定データ容量
上記判定式がＮｏと判定された場合は、ステップＳ１４１に進む。ステップＳ１４１以下の処理はデータ面に対する記録データの削減処理などの処理である。
この処理について、図８に示すフローチャートを参照して説明する。
【００６３】
ステップＳ１４１では、データ面に記録する主要データであるメインデータの圧縮を実行するか否かを判定する。なお、この処理の実行時には、例えば図１１に示すような情報を出力部（表示部）１１４に表示する。図１１に示すように処理ディスクの種類とメインデータの情報として、容量、圧縮率、圧縮後容量、必要ディスク枚数、これらの情報を表示する。ユーザはこれらの情報を参照して処理を決定することができる。
【００６４】
例えば、ユーザがメインデータの圧縮処理の実行を要求する入力を行うと、ステップＳ１４１においてメインデータの圧縮を行うと判定し、ステップＳ１４２においてメインデータの圧縮処理を実行する。その後ステップＳ１３０（図７）に戻り、再度、
データ面空き容量≧記録予定データ容量
上記判定処理が行われる。
【００６５】
ステップＳ１４１において、例えばユーザ指示によってメインデータの圧縮を実行しないと判定した場合は、ステップＳ１４３に進む。
ステップＳ１４３では、サブデータを削減する処理を行うか否かを判定する。この判定も例えば、出力部（表示部）１１４に複数の選択肢を提示し、この情報に対するユーザの選択情報の入力に基づいて行われる。
【００６６】
サブデータの削減処理としては、例えばメインデータと同様の通常のデータ圧縮処理を行う選択肢の他、カラー画像データを白黒画像データに変換する処理等がある。レーベル面の画像は、前述したようにレーベル面のレーザ光照射部を化学変化させて生成する画像であり白黒画像データとなる。従って元データをカラー画像として保持する必要がないと判断する場合は白黒画像に変換して保存することでデータ量を削減することができる。
【００６７】
どのような態様でデータ削減を実行するかについては、例えば出力部（表示部）１１４に圧縮態様と圧縮後のデータ容量の対応データを表示してユーザに適当なものを選択させる処理によって実行する。なお、ユーザ選択によらず、装置内に保持されたアルゴリズムに従って自動的に決定する構成としてもよい。
【００６８】
ステップＳ１４３においてサブデータの削減を実行すると判定した場合は、ステップＳ１４４においてサブデータの削減処理を実行する。
その後ステップＳ１３０（図７）に戻り、再度、
データ面空き容量≧記録予定データ容量
上記判定処理が行われる。
【００６９】
一方、ステップＳ１４３においてサブデータの削減を実行しないと判定した場合は、ステップＳ１４５に進む。
ステップＳ１４５では、空き容量の大きいディスクに変更するか否かを判定する。この判定処理も、例えば出力部（表示部）１１４にユーザ選択可能なガイド画面を提示して、提示情報に対するユーザ入力に基づいて判定する。
ユーザがディスク交換を望む場合はステップＳ１４６においてディスクを排出し、ステップＳ１４７において新たなディスクをセットする。
その後ステップＳ１３０（図７）に戻り、再度、
データ面空き容量≧記録予定データ容量
上記判定処理が行われる。
【００７０】
ステップＳ１４５において、空き容量の大きいディスクに変更しないと判定した場合は、ステップＳ１４８に進む。
ステップＳ１４８では、複数枚のディスクに分割して記録するか否かを判定する。この判定も、例えばガイド画面の提示情報に対するユーザ入力に基づいて判定する。
分割記録する場合は、ステップＳ１４９に進み、分割記録するためのデータ、すなわち、各ディスクに記録するための複数の分割データを生成する。なお、サブデータは複数の分割データの一つのみに記録する設定としてもよいし、すべてのディスクにサブデータを含めて記録する設定のいずれも選択可能である。この設定についても出力部（表示部）１１４にガイド情報を表示して、ユーザ選択可能とする。
【００７１】
ステップＳ１４９において分割記録データが生成されると、ステップＳ１３０（図７）に戻り、再度、
データ面空き容量≧記録予定データ容量
上記判定処理が行われる。
なお、この場合の比較対象とする記録予定データは、分割記録する１枚のディスク単位のデータとなる。すべての分割記録データに対して上記判定処理が行われることになる。
【００７２】
ステップＳ１４８において、複数枚のディスクに分割して記録しないと判定した場合は、データ面に対するデータ記録は不可能となり、処理が中止される。
【００７３】
以上、説明したように、本発明の情報処理装置では、レーベル面に記録するデータの元データをバックアップデータとしてデータ面に記録する。従って、ディスクを有するユーザは、レーベル面に記録された画像のバックアップデータであるサブデータをデータ面から読み出してディスプレイに表示する処理や、プリントする処理、あるいは他のディスクのレーベル面に同一の画像を描画する処理などを、画質劣化を発生させることなく行うことが可能となる。
【００７４】
次に、図１２に示すフローチャートを参照して、図５〜図８に示すディスクに対する記録処理を終了した後に実行するデータ削除処理シーケンスについて説明する。この処理は、ディスクに記録したデータ（レーベル面記録データやデータ面記録データ）を例えばホスト装置１１０の記憶部（例えばハードディスク）から削除する処理である。
【００７５】
ステップＳ２０１において、描画データを削除するか否かを判定する。この判定処理は、例えば図１３に示す表示画面を出力部（表示部）１１４に表示して、ユーザの指示を入力して判断する。
図１３に示すように、
レーベル面描画データの削除の要否と、メインデータの削除の要否を問い合わせるガイド画面を提示してユーザの指示を入力して判定する。
【００７６】
ステップＳ２０１において、描画データを削除すると判定した場合は、ステップＳ２０２に進み、例えばハードディスク等の記憶部１１２のレーベル面記録画像に対応するデータを削除する。次にステップＳ２０３に進む。
【００７７】
ステップＳ２０１において、描画データを削除しないと判定した場合、あるいはステップＳ２０２において、レーベル面描画データを削除した場合は、ステップＳ２０３に進む。
【００７８】
ステップＳ２０３では、メインデータを削除するか否かを判定する。この判定処理は、例えば図１３に示す表示画面に対するユーザの指示に基づいて判断する。
ステップＳ２０３において、メインデータを削除すると判定した場合は、ステップＳ２０４に進み、例えばハードディスク等の記憶部１１２に格納されたメインデータ、すなわちディスクのデータ面に記録したメインデータを削除して処理を終了する。
ステップＳ２０３において、メインデータを削除しないと判定した場合も処理を終了する。
【００７９】
本発明の情報処理装置は、ディスクに記録されたデータは、レーベル面描画データを含めて全てディスクのデータ面に記録されており、例えばホスト装置のハードディスクから削除しても、ディスクからいつでも読み出し可能であり、オリジナルのデータと同様の品質の高いデータの表示、プリントが可能となる。また、他のディスクに対するレーベル面描画処理も、ディスクのデータ面に記録されたサブデータを利用して実行することができる。
【００８０】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８１】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【００８２】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８３】
以上、説明したように、本発明の一実施例の構成によれば、ディスクのレーベル面に記録される画像等のバックアップデータをデータ面に記録する装置および方法を実現する。本発明の情報処理装置は、ディスクのデータ面に対するデータ記録を実行するデータ記録部と、ディスクのレーベル面に視認可能なデータを記録するレーベル面記録部と、レーベル面記録部によってレーベル面に記録されたデータのバックアップデータをデータ面に記録させる制御を実行する制御部を有する。制御部はディスクのレーベル面に視認可能な画像などのデータを記録し、その記録データの元データをバックアップデータとしてディスクのデータ面に記録させる制御を行う。さらに制御部はデータ面の空き容量に応じてメインデータまたはバックアップデータの削減処理を実行する。
【符号の説明】
【００８４】
１００  情報処理装置
１１０  ホスト装置
１１１  制御部
１１２  記憶部
１１３  入力部
１１４  出力部（表示部）
１２０  ドライブ装置
１２１  ドライブ制御部
１２２  メモリ
１２３  データ記録再生部
１２４  レーベル面記録部
２００  ディスク
２０１  レーベル面
２０２  データ面
３０１  レーベル面記録データ
３２１  メインデータ
３２２  サブデータ（＝レーベル面記録データ）
【図１】
2011090723.tif 000003
【図２】
2011090723.tif 000004
【図３】
2011090723.tif 000005
【図４】
2011090723.tif 000006
【図５】
2011090723.tif 000007
【図６】
2011090723.tif 000008
【図７】
2011090723.tif 000009
【図８】
2011090723.tif 000010
【図１２】
2011090723.tif 000011
【図９】
2011090723.tif 000012
【図１０】
2011090723.tif 000013
【図１１】
2011090723.tif 000014
【図１３】
2011090723.tif 000015